(57)【特許請求の範囲】
【請求項１】
海底に設置される支持板と、複数の単位構造体を平面に配列して形成される構造体層と、及び前記支持板の上に複数で積層された構造体層で積層された複数の単位構造体を垂直で貫通してお互いに固定する貫通棒と、を含んで構成される防波堤構造物において、
前記単位構造体は直四角形または正四角形でなされた同一な大きさのブロック上板及びブロック下板と、前記ブロック下板の上で前記ブロック上板を支持する少なくとも一つの柱を具備して、前記ブロック上板と前記ブロック下板にはお互いに同一な位置に貫通孔が形成されて、前記ブロック上板及び前記ブロック下板のそれぞれの側辺には少なくとも一つの連結溝が形成されて、
前記構造体層は複数の前記単位構造体が平面でお互いに行き違うように配列されるが、水平で隣合う単位構造体らの連結溝がお互いに触れ合って連結されるように配列されて、お互いに触れ合って連結される連結溝には差込部材を挟みこんで形成されて、
前記支持板の上面に前記構造体層が複数で積層されるが、複数の単位構造体の貫通孔がお互いに垂直で連結されるように積層して防波堤壁が形成されて、前記貫通棒が垂直で連結される複数の単位構造体の貫通孔を貫通してお互いに固定して、
前記支持板にはその上面に積層される前記構造体層のそれぞれの単位構造体の貫通孔に対応して溝が形成されて、垂直で連結される複数の単位構造体の貫通孔を貫通した前記貫通棒の一端が前記支持板に形成された溝に挿入されて固定され、
前記単位構造体は、前記ブロック上板から前記ブロック下板まで外部に突き出されるように形成される半円形柱をさらに具備することを特徴とする防波堤構造物。
【請求項２】
海底に設置される支持板と、複数の単位構造体を平面に配列して形成される構造体層を含んで、前記支持板の上に前記構造体層を複数で積層して形成される防波堤構造物において、
前記単位構造体は直四角形または正四角形でなされた同一な大きさのブロック上板及びブロック下板と、前記ブロック下板の上で前記ブロック上板を支持する少なくとも一つの柱を具備して、前記ブロック上板と前記ブロック下板にはお互いに同一な位置に貫通孔が形成されて、前記ブロック上板及び前記ブロック下板のそれぞれの側辺には少なくとも一つの連結溝が形成されて、
前記構造体層は複数の前記単位構造体が平面でお互いに行き違うように配列されるが、水平で隣合う単位構造体の連結溝がお互いに触れ合って連結されるように配列されて、お互いに触れ合って連結される連結溝には差込部材を挟みこんで形成されて、
前記支持板の上面に前記構造体層が複数で積層されるが、上下で隣合う単位構造体の連結溝がお互いに触れ合って連結されるように積層して防波堤壁が形成されて、お互いに触れ合って連結される連結溝には差込部材を挟みこんでお互いに固定し、
前記単位構造体は、前記ブロック上板から前記ブロック下板まで外部に突き出されるように形成される半円形柱をさらに具備することを特徴とする防波堤構造物。
【請求項３】
前記防波堤壁のうちで最上位の構造体層の上面を覆う覆板と、
をさらに含むことを特徴とする請求項１または２に記載の防波堤構造物。
【請求項４】
前記ブロック上板及び前記ブロック下板のそれぞれは、
一辺の長さが他の一辺の長さのｎ倍(ここで、ｎは２以上の定数)である直四角形でなされて、長さがｎ倍である辺の(２ｋ-１)/２ｎ支点(ここで、ｋは１からｎまで順次に１ずつ増加する定数)及び他の一辺の１/２支点のそれぞれに設定された深さ及び長さの連結溝が辺から直角方向に形成されることを特徴とする請求項１または２に記載の防波堤構造物。
【請求項５】
前記ブロック上板及び前記ブロック下板のそれぞれは、
正四角形でなされて、各辺の１/２支点に設定された深さ及び長さの連結溝が辺から直角方向に形成されることを特徴とする請求項１または２に記載の防波堤構造物。
【請求項６】
前記ブロック上板及び前記ブロック下板のそれぞれは、
角の頂点及び長さが二倍である辺の１/２支点中の少なくとも一点を中心にして設定された直径の円周形態で削れることを特徴とする請求項４に記載の防波堤構造物。
【請求項７】
前記単位構造体は、
前記ブロック上板及び前記ブロック下板と同一な大きさ及び形状でなされて、前記ブロック上板及び前記ブロック下板の間に平行に設置されて、前記柱によって支持される少なくとも一つの中間板をさらに具備することを特徴とする請求項６に記載の防波堤構造物。
【請求項８】
前記中間板は、
それぞれの角の頂点及び長さが二倍である辺の１/２支点中の少なくとも一点を中心にして設定された直径の円周形態で削れることを特徴とする請求項７に記載の防波堤構造物。
【請求項９】
前記単位構造体は、
前記ブロック上板及び前記ブロック下板と同一な大きさ及び形状でなされて、前記ブロック上板及び前記ブロック下板の間に平行に設置されて、前記柱によって支持される少なくとも一つの中間板と、及び前記半円形柱に対向する面を阻む遮断幕と、をさらに具備することを特徴とする請求項１または２に記載の防波堤構造物。
【請求項１０】
前記単位構造体は、
前記ブロック上板と前記ブロック下板のそれぞれの貫通孔の位置に前記柱が連結されて、前記柱の長さ方向に沿って前記柱の中央に貫通孔が形成されて、それぞれの貫通孔が前記ブロック上板から前記ブロック下板まで連結されることを特徴とする請求項１または２に記載の防波堤構造物。
【請求項１１】
前記構造体層は、
六面体の形態でなされて、上面及び下面の辺の長さが他の一辺の長さのｎ倍(ここで、nは２以上の定数)である直四角形でなされて、長さがｎ倍である辺の(２ｋ-１)/２ｎ支点(ここで、ｋは１以上でｎ以下の定数)及び他の一辺の１/２支点のそれぞれに設定された深さ及び長さの連結溝が辺から直角方向に形成されて、前記ブロック上板及び前記ブロック下板と対応する位置で上面から下面まで貫通孔が形成される桶ブロックが含まれて配列されることを特徴とする請求項１または２に記載の防波堤構造物。
【請求項１２】
前記構造体層は、
六面体の形態でなされて、上面及び下面がそれぞれ正四角形でなされて、前記ブロック上板及び前記ブロック下板と対応する位置に上面から下面まで貫通孔が形成されて、上面及び下面の各辺の１/２支点に設定された深さ及び長さの連結溝が辺から直角方向に形成される桶ブロックが含まれて配列されることを特徴とする請求項１または２に記載の防波堤構造物。
【請求項１３】
前記桶ブロックは、
上面及び下面のそれぞれの角の頂点及び長さが二倍である辺の１/２支点中の少なくとも一点を中心にして、上面から下面まで設定された直径の円周形態で削れることを特徴とする請求項１１に記載の防波堤構造物。
【請求項１４】
積層された複数の前記構造体層に対して垂直で連結されるふたつ以上の前記単位構造体の貫通孔を上方から下方に貫通してお互いに固定する貫通棒と、
をさらに含んで、
前記支持板はその上面に積層される前記構造体層のそれぞれの単位構造体の貫通孔に対応して溝が形成されて、垂直で連結される複数の単位構造体の貫通孔を貫通した前記貫通棒の一端が前記支持板に形成された溝に挿入されて固定されることを特徴とする請求項２に記載の防波堤構造物。
【発明の詳細な説明】
【技術分野】
【０００１】
本発明は、防波堤構造物に関するものであり、より詳細には、防波堤の単位構造体が防波堤構造物の建築過程または波や波浪によって破損されることを防止して、防波堤構造物の構築後にも波や波浪によって押されることを防止するものであり、安定的に波や波浪を減少させることができる防波堤構造物に関するものである。
【背景技術】
【０００２】
一般に、港湾や海岸には防波堤がほとんど必須に設置されて、このような防波堤はさまざまな形態と多様な施工法で設置されている。
創始期の防波堤はある程度高い波を阻むことができる高さで設置され、防波堤が設置される区間には内海と外海が遮られる。しかし、このように海水を閉じこめて置く形態で防波堤を建設すれば、海水の流出口が円滑になされなくて、内海側の海水が汚染されて、各種汚物が積もって、ひどい場合には悪臭が発生するようになる。これにより内海側の干潟や海底の生態系は完全に破壊されることもある。
【０００３】
さらに、前述した防波堤の場合、防波堤にぶつかった海水に大きい反発力が生じながら後にぞくぞく差しこむ海水が合わせられてより大きいエネルギーで防波堤を殴るようになって、その結果、波高がますます高くなってひどくなれば、海水が防波堤を越して内海に入って行くようになる問題点がある。
【０００４】
このような問題点を改善するために海水が流通することができるようにする多様な構造の防波堤が提案された。これらのうちで一つが大韓民国特許第７７０２３８号の『防波堤構築用単位ブロック』らを利用した防波堤である。
【０００５】
図１は、従来技術による防波堤構築用単位ブロックを利用して施工された防波堤の概略的な正面図を示す。
【０００６】
図１を参照すれば、単位ブロックは上板１０と下板２０が複数の柱３０によって連結されて一体をなして、上板１０の上面と下板２０の底面には結合のための噛合い顎１５と噛合い溝２５が形成されている。
【０００７】
防波堤は噛合い顎５５が突き出されるように形成されたフレーム５０の上に複数の単位ブロックの噛合い溝２５がフレーム５０の噛合い顎１５とかみ合うように１次積層し、１次積層された複数の単位ブロック上に１次積層された複数の単位ブロックのそれぞれの噛合い顎１５と噛合い溝２５がかみ合いながら１次積層された複数の単位ブロックとはお互いに行き違うように複数の単位ブロックを２次積層して、このような方法で複数の単位ブロックを垂直に積層して形成される。これで、防波堤はそれぞれの単位ブロックらの柱らの間の空間を通じて潮流の疎通が円滑になされるようになる。
【０００８】
ところが、前述したところのような防波堤構造物は防波堤を構築する過程で噛合い顎が破損されるか、またはひどい波によって単位ブロックが押されながら噛合い顎の破損される場合が発生することがある。このように噛合い顎が破損される場合、波や波浪によって単位ブロックが押される現象はより増大するようになって、防波堤構造物がその役割をまともにできなくなる問題点がある。
【０００９】
また、このように単位ブロックの噛合い顎が破損される場合、建築が完了した防波堤構造物で該当単位ブロックを補修することはよほど難しい作業であるだけでなく、その補修費用も相当であるという問題点がある。
【先行技術文献】
【特許文献】
【００１０】
【特許文献１】韓国登録特許第１０-０７７０２３８号（２００６年１１月６日公開）
【発明の概要】
【発明が解決しようとする課題】
【００１１】
本発明は、前述した問題点を解決するために創案されたものであり、防波堤の単位構造体が防波堤構造物の建築過程または波や波浪によって破損されることを防止して、防波堤構造物の構築後にも波や波浪によって押されることを防止することで、安定的に波や波浪を減少させることができる防波堤構造物を提供することを目的とする。
【課題を解決するための手段】
【００１２】
前述した目的を達成するための本発明の一側面による防波堤構造物は海底に設置される支持板と、複数の単位構造体を平面に配列して形成される構造体層と、及び前記支持板の上に複数で積層された構造体層で積層された複数の単位構造体を垂直で貫通してお互いに固定する貫通棒と、を含んで構成されて、前記単位構造体は直四角形または正四角形でなされた同一な大きさのブロック上板及びブロック下板と、前記ブロック下板の上で前記ブロック上板を支持する少なくとも一つの柱を具備して、前記ブロック上板と前記ブロック下板にはお互いに同一な位置に貫通孔が形成されて、前記ブロック上板及び前記ブロック下板のそれぞれの側辺には少なくとも一つの連結溝が形成されて、前記構造体層は複数の前記単位構造体が平面でお互いに行き違うように配列されるが、水平で隣合う単位構造体らの連結溝がお互いに触れ合って連結されるように配列されて、お互いに触れ合って連結される連結溝には差込部材を挟みこんで形成されて、前記支持板の上面に前記構造体層が複数で積層されるが、複数の単位構造体の貫通孔がお互いに垂直で連結されるように積層して防波堤壁が形成されて、前記貫通棒が垂直で連結される複数の単位構造体の貫通孔を貫通してお互いに固定して、前記支持板にはその上面に積層される前記構造体層のそれぞれの単位構造体の貫通孔に対応して溝が形成されて、垂直で連結される複数の単位構造体の貫通孔を貫通した前記貫通棒の一端が前記支持板に形成された溝に挿入されて固定されることを特徴とする。
【００１３】
前述した目的を達成するための本発明の他の側面による防波堤構造物は、海底に設置される支持板と、複数の単位構造体を平面に配列して形成される構造体層を含んで、前記支持板の上に前記構造体層を複数で積層して形成されて、前記単位構造体は直四角形または正四角形でなされた同一な大きさのブロック上板及びブロック下板と、前記ブロック下板の上で前記ブロック上板を支持する少なくとも一つの柱を具備して、前記ブロック上板と前記ブロック下板にはお互いに同一な位置に貫通孔が形成されて、前記ブロック上板及び前記ブロック下板のそれぞれの側辺には少なくとも一つの連結溝が形成されて、前記構造体層は複数の前記単位構造体が平面でお互いに行き違うように配列されるが、水平で隣合う単位構造体らの連結溝がお互いに触れ合って連結されるように配列されて、お互いに触れ合って連結される連結溝には差込部材を挟みこんで形成されて、前記支持板の上面に前記構造体層が複数で積層されるが、上下で隣合う単位構造体らの連結溝がお互いに触れ合って連結されるように積層して防波堤壁が形成されて、お互いに触れ合って連結される連結溝には差込部材を挟みこんでお互いに固定することを特徴とする。
【００１４】
前記防波堤の構造物において、前記防波堤壁のうちで最上位の構造体層の上面を覆う覆板と、をさらに含むことを特徴とする。
【００１５】
前記防波堤構造物において、前記ブロック上板及び前記ブロック下板のそれぞれは、一辺の長さが他の一辺の長さのｎ倍(ここで、ｎは２以上の定数)である直四角形でなされて、長さがｎ倍である辺の(２ｋ-１)/２ｎ支点(ここで、ｋは１からｎまで順次に１ずつ増加する定数)及び他の一辺の１/２支点のそれぞれに設定された深さ及び長さの連結溝が辺から直角方向に形成されることを特徴とする。
【００１６】
前記防波堤構造物において、前記ブロック上板及び前記ブロック下板のそれぞれは、正四角形でなされて、各辺の１/２支点に設定された深さ及び長さの連結溝が辺から直角方向に形成されることを特徴とする。
【００１７】
前記防波堤構造物において、前記ブロック上板及び前記ブロック下板のそれぞれは、角の頂点及び長さが二倍である辺の１/２支点中の少なくとも一点を中心として設定された直径の円周形態で削れることを特徴とする。
【００１８】
前記防波堤構造物において、前記単位構造体は、前記ブロック上板及び前記ブロック下板と同一な大きさ及び形状でなされて、前記ブロック上板及び前記ブロック下板の間に平行に設置されて、前記柱によって支持される少なくとも一つの中間板をさらに具備することを特徴とする。
【００１９】
前記防波堤構造物において、前記中間板は、それぞれの角の頂点及び長さが二倍である辺の１/２支点中の少なくとも一点を中心にして設定された直径の円周形態で削れることを特徴とする。
【００２０】
前記防波堤構造物において、前記単位構造体は、前記ブロック上板から前記ブロック下板まで外部に突き出されるように形成される半円形柱をさらに具備することを特徴とする。
前記防波堤構造物において、前記単位構造体は、前記ブロック上板及び前記ブロック下板と同一な大きさ及び形状でなされて、前記ブロック上板及び前記ブロック下板の間に平行に設置されて、前記柱によって支持される少なくとも一つの中間板と、及び前記半円形柱に対向する面を阻む遮断幕と、をさらに具備することを特徴とする。
【００２１】
前記防波堤構造物において、前記単位構造体は、前記ブロック上板と前記ブロック下板のそれぞれの貫通孔の位置に前記柱が連結されて、前記柱の長さ方向に沿って前記柱の中央に貫通孔が形成されて、それぞれの貫通孔が前記ブロック上板から前記ブロック下板まで連結されることを特徴とする。
【００２２】
前記防波堤構造物において、前記構造体層は、六面体の形態でなされて、上面及び下面の辺の長さが他の一辺の長さのｎ倍(ここで、ｎは２以上の定数)である直四角形でなされて、長さがｎ倍である辺の(２ｋ-１)/２ｎ支点(ここで、ｋは１以上でｎ以下の定数)及び他の一辺の１/２支点のそれぞれに設定された深さ及び長さの連結溝が辺から直角方向に形成されて、前記ブロック上板及び前記ブロック下板と対応する位置で上面から下面まで貫通孔が形成される桶ブロックが含まれて配列されることを特徴とする。
前記防波堤構造物において、前記構造体層は、六面体の形態でなされて、上面及び下面がそれぞれ正四角形でなされて、前記ブロック上板及び前記ブロック下板と対応する位置に上面から下面まで貫通孔が形成されて、上面及び下面の各辺の１/２支点に設定された深さ及び長さの連結溝が辺から直角方向に形成される桶ブロックが含まれて配列されることを特徴とする。
【００２３】
前記防波堤構造物において、前記桶ブロックは、上面及び下面のそれぞれの角の頂点及び長さが二倍である辺の１/２支点中の少なくとも一点を中心にして、上面下面まで設定された直径の円周形態で削れることを特徴とする。
【００２４】
前記防波堤構造物において、積層された複数の前記構造体層に対して垂直で連結されるふたつ以上の前記単位構造体の貫通孔を上方から下方に貫通してお互いに固定する貫通棒と、をさらに含んで、前記支持板はその上面に積層される前記構造体層のそれぞれの単位構造体の貫通孔に対応して溝が形成されて、垂直で連結される複数の単位構造体の貫通孔を貫通した前記貫通棒の一端が前記支持板に形成された溝に挿入されて固定されることを特徴とする。
【発明の効果】
【００２５】
本発明によれば、防波堤の単位構造体が防波堤構造物の建築過程や、または波や波浪によって破損されることを防止することができるようになるし、防波堤構造物の構築後にも波や波浪によって押されることを防止することで、防波堤構造物が安定的に波や波浪を減少させることができる。
【図面の簡単な説明】
【００２６】
【図１】従来技術による防波堤構築用単位ブロックを利用して施工された防波堤構造物を示した図面である。
【図２】本発明の一実施例による防波堤構造物を示した図面である。
【図３】図２に示した防波堤構造物に利用される単位構造体の一例を示した図面である。
【図４】図２に示した防波堤構造物に利用される単位構造体の他の例を示した図面である。
【図５】図２に示した防波堤構造物に利用される構造体層の一例を示した図面である。
【図６】図２に示した防波堤構造物に利用される構造体層の積層例を示した図面である。
【図７】図２に示した防波堤構造物に利用される桶ブロックの一例を示した図面である。
【図８】図２に示した防波堤構造物に利用される桶ブロックの他の例を示した図面である。
【図９】図２に示した防波堤構造物に利用される単位構造体のまた他の例を示した図面である。
【図１０】図２に示した防波堤構造物に利用される単位構造体のまた他の例を示した図面である。
【図１１】本発明の他の実施例による防波堤構造物を示した図面である。
【図１２】図１１に示した防波堤構造物に利用される単位構造体の例を示した図面である。
【発明を実施するための形態】
【００２７】
以下、添付された図面を参照して本発明の実施例による防波堤構造物及びその単位構造体を詳細に説明する。
【００２８】
図２は、本発明の一実施例による防波堤構造物を示した図面である。
【００２９】
図２を参照すれば、本発明の一実施例による防波堤構造物１００は支持板１１０、単位構造体１２０、構造体層１３０、防波堤壁１４０、貫通棒１５０及び覆板１６０などで構成される。
【００３０】
支持板１１０は海底に設置される。この時、支持板１１０は基礎地盤１０２上に積層されることができる。ここで、基礎地盤１０２は海底底面の基礎工事でなされて、地形が不安定な海底の底面を平たくして、支持板１１０が安定的に固定されるように装着されることができるように上面に溝が形成されることができる。また、基礎地盤１０２の上端に支持板１１０を積層した後、被覆石１０４で積層された支持板１１０を固定すると共に支持板１１０周辺の基礎地盤１０２を覆うことができる。
基礎地盤１０２は海底面に所定深さの溝を掘った後設置されるか、または基礎地盤１０２の底面に所定長さの下方固定心を設置して該当固定心を海底に挿入して、基礎地盤１０２を海底に固定させた後基礎地盤１０２の上面が平たくすることができる。また、基礎地盤１０２はその上面に支持板１１０を固定するための固定溝または固定顎を具備することもできる。または、支持板１１０は基礎地盤１０２及び被覆石１０４と一体で形成されることもできる。しかし、支持板１１０の設置方法は記載された方法に限定されるものではなくて、多様に変形された方法で設置されることもできる。また、支持板１１０はコンクリートで作われることができるが、これに限定されるものではなくて多様な材質が活用されることもできる。
【００３１】
単位構造体１２０は、図３に示したところのように、ブロック上板１２１、ブロック下板１２２、及びブロック下板１２２の上でブロック上板１２１を支持する少なくとも一つの柱１２３を含んで、ブロック上板１２１及びブロック下板１２２にはお互いに同一な位置に貫通孔１２４が形成される。この時、ブロック上板１２１及びブロック下板１２２はお互いに同一な大きさで形成される。ここで、ブロック上板１２１及びブロック下板１２２は、それぞれが一辺の長さが他の一辺の長さのｎ倍(ここで、ｎは２以上の定数)である直四角形でなされることができる。すなわち、一辺の長さが異なる辺の長さの二倍、三倍などである直四角形でなされる。この時、ブロック上板１２１及びブロック下板１２２はそれぞれ長さがｎ倍である辺の(２ｋ-１)/２ｎ支点(ここで、ｋは１からｎまで順次に増加する定数)及び他の一辺の１/２支点それぞれに設定された深さ及び長さの連結溝１２５が辺から直角方向に形成されることができる。すなわち、長さが二倍である辺の１/４支点及び３/４支点と、他の一辺の１/２支点に辺から直角方向で連結溝１２５が形成されることができる。ここで、ブロック上板１２１及びブロック下板１２２が同一な大きさで形成されるということは、それぞれの横及び縦の長さが同一であるということを意味して、それぞれの厚さはお互いに異なるように形成されることもできる。
【００３２】
また、ブロック上板１２１及びブロック下板１２２は、図４に示したところのように、それぞれが正四角形の形状でなされて、各辺の１/２支点に設定された深さ及び長さの連結溝１２５が辺から直角方向に形成されることもできる。
【００３３】
一方、単位構造体１２０は少なくとも一つの中間板１２６をさらに含むこともできる。この時、中間板１２６はブロック上板１２１及びブロック下板１２２と同一な大きさ及び形状でなされて、ブロック上板１２１及びブロック下板１２２の間に平行に設置されて、柱１２３によって支持される。
【００３４】
ブロック上板１２１、ブロック下板１２２及び中間板１２６はそれぞれの角の頂点及び長さが二倍である辺の１/２支点中の少なくとも一点を中心にして設定された直径の円周形態で削れる。すなわち、ブロック上板１２１、ブロック下板１２２及び中間板１２６の一辺が他の一辺の二倍である場合、それぞれの角の頂点及び長さが二倍である辺の１/２支点に円周形態の溝が形成される。
【００３５】
図３及び図４には、柱１２３がブロック上板１２１、ブロック下板１２２及び中間板１２６のそれぞれの貫通孔１２４の位置と異なる位置に設置されたものとして示して説明した。しかし、柱１２３はブロック上板１２１、ブロック下板１２２及び中間板１２６のそれぞれの貫通孔１２４の位置と同一な位置に設置されることもできる。この場合、柱１２３は貫通孔１２４の直径より大きい直径でなされた円筒状で形成されて、長さ方向に沿って中央にブロック上板１２１、ブロック下板１２２及び中間板１２６のそれぞれの貫通孔１２４の直径と同一な直径の貫通孔が形成されることもできる。すなわち、ブロック上板１２１、ブロック下板１２２及び中間板１２６のそれぞれの貫通孔１２４は柱１２３を通じてお互いに連結される。
【００３６】
図５は、図２に示した防波堤構造物に利用される構造体層の一例を示した図面である。本発明の実施例で構造体層１３０は、複数の単位構造体１２０が平面に配列されて形成された単位構造体層であることで定義する。
【００３７】
図５を参照すれば、構造体層１３０は複数の単位構造体１２０を平面に配列して形成される。この時、それぞれの単位構造体１２０はお互いに異なる単位構造体１２０の連結溝１２５がお互いに触れ合って連結されるようにお互いに行き違うように配列されることができる。この場合、構造体層１３０は任意の単位構造体１２０が異なる単位構造体１２０と取り組む場合にお互いに連結される連結溝１２５に差込部材１２７を挟みこむ。これを通じて、波や波浪によって単位構造体１２０がお互いに押される現象を防止することができる。
【００３８】
任意の単位構造体１２０が異なる単位構造体１２０と触れ合うようになれば、単位構造体１２０のブロック上板１２１、ブロック下板１２２及び中間板１２６の円周形態で削られた部分によって単位構造体１２０の間には孔１２８が形成される。このような孔１２８を通じて構造体層１３０に流入される海水は構造体層１３０の上部または下部に流通されることができる。
【００３９】
図６は、図２に示した防波堤構造物に利用される構造体層の積層例を示した図面である。
【００４０】
図６を参照すれば、複数の構造体層１３０を積層して防波堤壁を形成することができる。この時、それぞれの構造体層１３０はお互いに異なる単位構造体１２０の連結溝１２５がお互いに触れ合って連結されるように積層されて、お互いに触れ合って連結される連結溝１２５には差込部材１２７を挟みこんで上下に積層される構造体層１３０をお互いに固定することができる。このために、単位構造体１２０の側辺に形成される連結溝１２５はその長さ及び深さが等しくなされることができるし、それによって平面に配列される単位構造体１２０の連結及び上下に積層される単位構造体１２０の連結に同一な形状の差込部材１２７を使用することができる。しかし、単位構造体１２０の側辺に形成される連結溝１２５の長さ及び深さは異なるようになされることもでき、この場合平面に配列される単位構造体１２０の連結及び上下で積層される単位構造体１２０の連結にはお互いに異なる形状の差込部材１２７が使用されることもできる。また、単位構造体１２０の側辺に形成される連結溝１２５は平面に配列される単位構造体１２０の連結用と上下に積層される単位構造体１２０の連結用で分離して、その長さ及び深さが設定されることもでき、この場合、平面に配列される単位構造体１２０の連結及び上下に積層される単位構造体１２０の連結に同一な形状の差込部材１２７を使用することもできる。
【００４１】
一方、構造体層１３０は、図７及び図８に示したところのような桶ブロック１７０を含むことができる。この時、桶ブロック１７０は六面体の形態でなされて、上面及び下面がブロック上板１２１、ブロック下板１２２及び中間板１２６と同一な形状の一辺の長さが他の一辺の長さのｎ倍である直四角形に形成されるか、または正四角形に形成されることができる。この時、桶ブロック１７０の上面及び下面の大きさはブロック上板１２１、ブロック下板１２２及び中間板１２６の大きさと等しく形成される。この場合、桶ブロック１７０はブロック上板１２１、ブロック下板１２２及び中間板１２６に形成された貫通孔の位置と同一な位置に貫通孔１７１が形成される。また、桶ブロック１７０は上面及び下面の長さがｎ倍である辺の(２ｋ-１)/２ｎ支点(ここで、ｋは１からｎまで順次に１ずつ増加する定数)及び他の一辺の１/２支点に設定された深さ及び長さの連結溝１７２が辺から直角方向に形成される。これを通じて、桶ブロック１７０が他の桶ブロック１７０または単位構造体１２０と取り組む場合にお互いに連結される連結溝１２５、１７２に差込部材１２７を挟みこんでお互いに固定することができる。
【００４２】
また、桶ブロック１７０は上面及び下面のそれぞれの角の頂点及び長さが２ｎである辺の１/２支点中の少なくとも一点を中心にして、上面から下面まで設定された直径の円周形態で削れる。
【００４３】
このような桶ブロック１７０は、防波堤構造物１００の上部に積層される構造体層１３０の内海側に一列で連結されることができる。これを通じて、防波堤構造物１００の下部に設置される構造体層１３０は海水を外海から内海に自由に流入させて、上部に設置される構造体層１３０は桶ブロック１７０を通じて波浪や波を低減させることができる。
【００４４】
また、構造体層１３０は、図９及び図１０に示したところのような形状の単位構造体１８０を含むこともできる。ここで、それぞれの(ａ)及び(ｂ)はお互いに同一な単位構造体１８０を示したものであり、お互いに異なる方向の図面を示す。この時、単位構造体１８０は単位構造体１２０と等しくブロック上板１８１、ブロック下板１８２、柱１８３、貫通孔１８４、連結溝１８５及び中間板１８６を含むことができる。この場合、単位構造体１８０は一側面にブロック上板１８１からブロック下板１８２まで外部に突き出されるように半円形柱１８７が形成される。このような形状の単位構造体１８０は防波堤構造物１００の上部に積層される構造体層１３０の内海側に一列で連結されることができる。これを通じて、防波堤構造物１００の上部に設置される構造体層１３０は波浪や波を低減させることができるだけでなく、船舶が容易に接岸することができる。
【００４５】
防波堤壁１４０は複数の構造体層１４０が垂直に積層されて形成された構造を指称することで定義する。この時、防波堤壁１４０は複数の構造体層１３０を垂直に積層するが、垂直に積層された少なくともふたつ以上の単位構造体１２０の貫通孔１２４がお互いに連結されるように積層して形成される。この場合、防波堤壁１４０は前述したところのように、上部には桶ブロック１７０及び半円形柱１８７が形成された単位構造体１８０中の少なくとも一つが含まれた構造体層１３０が積層されることができる。
【００４６】
貫通棒１５０は少なくとも一層の構造体層１３０に対して、上方から下方に少なくとも一つの単位構造体１２０、１８０の貫通孔１２４、１８４を貫通して固定する。この時、支持板１１０はその上面に積層される構造体層１３０のそれぞれの単位構造体１２０、１８０の貫通孔１２４、１８４に対応して溝(図示せず)が形成されることができるし、それぞれの単位構造体１２０、１８０の貫通孔１２４、１８４を通じて貫通された貫通棒１５０の他端を挿入して固定することができる。また、貫通棒１５０は構造体層１３０を形成するすべての単位構造体１２０、１８０の貫通孔１２４、１８４に挿入されるか、または設定された位置にある少なくとも一つの単位構造体１２０、１８０の貫通孔１２４、１８４に挿入されることができる。
【００４７】
ここで、貫通棒１５０は防波堤壁１４０の最上層の単位構造体１２０、１８０の貫通孔１２４、１８４、または桶ブロック１７０の貫通孔１７１を通じて挿入されて最下層の単位構造体１２０の貫通孔１２４までつながるか、または少なくともふたつ以上の構造体層１３０の単位構造体１２０、１８０の貫通孔１２４、１８４を垂直で貫通することができる。
【００４８】
これを通じて、防波堤壁１４０はそれぞれの単位構造体１２０が波や波浪によってお互いに押されて行き違うことを防止することができるようになる。
【００４９】
覆板１６０は防波堤壁１４０の最上面を覆う。覆板１６０はコンクリートで作われることができるが、これに限定されるものではなくて多様な材質を活用することができる。例えば、覆板１６０は所定厚さの透明アクリル板で形成されることができるし、これを通じて防波堤内部の海水の流通過程を目で確認できるように具現されることもできる。このような覆板１６０は防波堤構造物の内部から海水が上って来ることを防止すると共に歩道及び車道で使用されることができる。
【００５０】
図１１は、本発明の他の実施例による防波堤構造物を示した図面である。
【００５１】
図１１を参照すれば、本発明の他の実施例による防波堤構造物２００は支持板２１０、単位構造体２２０、構造体層２３０、防波堤壁２４０、貫通棒２５０及び覆板２６０で構成される。ここで、支持板２１０、単位構造体２２０、防波堤壁２４０、貫通棒２５０及び覆板２６０は図２に示した防波堤構造物１００の支持板１１０、単位構造体１２０、防波堤壁１４０、貫通棒１５０及び覆板１６０とその構成及び機能が類似であるので、ここでは重複された説明を略する。
【００５２】
構造体層２３０は遮断単位構造体２７０を含むことができる。この場合、遮断単位構造体２７０は図１２に示したところのように、ブロック上板２７１、ブロック下板２７２、貫通孔２７３、連結溝２７４、中間板２７５及び半円形柱２７６を含むことができる。この時、ブロック上板２７１、ブロック下板２７２、貫通孔２７３、連結溝２７４、中間板２７５及び半円形柱２７６の構成及び機能は、図９に示した単位構造体１８０の構成及び機能と同一であるので、ここではその詳細な説明を略する。
【００５３】
一方、遮断単位構造体２７０は半円形柱２７６と対向する面に遮断幕２７７が形成される。このような遮断単位構造体２７０は防波堤壁２４０の上部に積層される構造体層２３０の内海側に一列で連結されることができる。これを通じて、防波堤壁２４０は船舶が容易に接岸することができるようにするし、また波浪や波を低減させることができるようになる。
【符号の説明】
【００５４】
１００、２００  防波堤構造物
１０２、２０２  基礎地盤
１０４、２０４  被覆石
１１０、２１０  支持板
１２０、２２０  単位構造体
１３０、２３０  構造体層
１４０、２４０  防波堤壁
１５０、２５０  貫通棒
１６０、２６０  覆板
【図１】
0005856248.tif 000002
【図２】
0005856248.tif 000003
【図３】
0005856248.tif 000004
【図４】
0005856248.tif 000005
【図５】
0005856248.tif 000006
【図６】
0005856248.tif 000007
【図７】
0005856248.tif 000008
【図８】
0005856248.tif 000009
【図９】
0005856248.tif 000010
【図１０】
0005856248.tif 000011
【図１１】
0005856248.tif 000012
【図１２】
0005856248.tif 000013